(57)【特許請求の範囲】
【請求項１】
回転操作型電子部品の回転軸を挿通させる貫通孔、および上記回転操作型電子部品の本体部分に対し上記回転軸と垂直な方向に間隙Ｇを空けて係止可能な部位を備え、上記回転軸を上記貫通孔に挿通させて上記回転操作型電子部品が配される取付板と、上記貫通孔から突出する上記回転軸を連結保持するチャックと、中心部に上記チャックを回転自在に装着したドラムと、一端が上記ドラム外周に固定され、その中間部に撓みによって抵抗値が変化する歪ゲージが貼付された弾性を有するプレートと、上記チャック外周から突出し上記プレートの自由端に当接するアームと、上記歪ゲージに接続された検査回路からなり、上記貫通孔から突出した上記回転軸を上記チャックで連結保持する際、上記間隙Ｇの作用により上記取付板に対して上記回転操作型電子部品の本体部分が上記回転軸と垂直な方向に移動し、上記回転軸と上記チャックとの中心位置ズレを吸収した状態で上記回転軸が上記チャックに連結保持されて上記回転操作型電子部品がセットされ、その後上記ドラムを回転させ、上記プレートの自由端で、上記チャック外周から突出したアームを押圧して、上記チャックに連結保持された上記回転操作型電子部品の回転軸を回転操作し、この時の上記プレートの撓みによる上記歪ゲージの抵抗値変化を上記検査回路によって検出し判定を行う回転操作型電子部品の検査装置。
【請求項２】
チャック外周に二つの突出するアームを設け、この間にプレートの自由端を挟み込んだ請求項１記載の回転操作型電子部品の検査装置。
【請求項３】
回転操作型電子部品の回転軸を挿通させる貫通孔、および上記回転操作型電子部品の本体部分に対し上記回転軸と垂直な方向に間隙Ｇを空けて係止可能な部位を備えた取付板に、上記回転軸を上記貫通孔に挿通させて上記回転操作型電子部品を配し、続いて、上記貫通孔から突出した上記回転軸を、ドラムの中心部に回転自在に装着したチャックで連結保持する際、上記間隙Ｇの作用により上記取付板に対して上記回転操作型電子部品の本体部分が上記回転軸と垂直な方向に移動し、上記回転軸と上記チャックとの中心位置ズレを吸収した状態で上記回転軸が上記チャックに連結保持されて上記回転操作型電子部品がセットされ、その後、上記ドラムを回転させ、一端が上記ドラム外周に固定され、その中間部に歪ゲージが貼付された弾性を有するプレートの自由端で、上記チャック外周から突出したアームを押圧して上記チャックに連結保持された上記回転操作型電子部品の回転軸を回転操作し、この時の上記プレートの撓みによる上記歪ゲージの抵抗値変化によって上記回転軸の回転荷重を連続して検出し判定する回転操作型電子部品の検査方法。
【発明の詳細な説明】
【０００１】
【発明の属する技術分野】
本発明は、各種電子機器に使用されるスイッチや可変抵抗器、エンコーダ等の回転操作型電子部品の検査装置及び検査方法に関するものである。
【０００２】
【従来の技術】
近年、通信機器や映像機器、音響機器等の各種電子機器の高機能化と多様化が進む中、これらに使用されるスイッチや可変抵抗器、エンコーダ等の回転操作型電子部品も、様々な操作形態や操作感触を備えたものが使用されるようになってきた。
【０００３】
このような従来の回転操作型電子部品の検査装置及び検査方法について、図５〜図８を用いて説明する。
【０００４】
図５は従来の回転操作型電子部品の検査装置の概要を示す断面図、図６は同分解斜視図であり、同図において、１はスイッチや可変抵抗器、エンコーダ等の回転操作型電子部品、２は取付板で、回転操作型電子部品１は回転軸１Ａが取付板２中央の貫通孔２Ａから下方に突出すると共に、その左右の取付孔１Ｂ，１Ｃに取付板２上面の突出ピン２Ｂ，２Ｃが挿入されて、取付板２に装着されている。
【０００５】
そして、３は上端に回転操作型電子部品１の回転軸１Ａを連結保持したチャック、４は上端とチャック３との間にコイルばね状の自在継手５が装着されたドラムで、ドラム４の下端は回転荷重を検出するトルクゲージ６に固着され、トルクゲージ６はリード線等によって検査装置の検査回路（図示せず）に電気的に接続されている。
【０００６】
以上の構成において、トルクケージ６を回転すると、チャック３が回転操作型電子部品１の回転軸１Ａを回転させ、ドラム４を通して伝わった回転軸１Ａの回転荷重をトルクゲージ６が検出してその信号が検査回路に送信され、この信号から検査回路が回転操作型電子部品１の回転荷重を検出し、あらかじめ設定された基準値と比較して、回転荷重が基準値内に収まっているかどうかの良否の判定を行うものであった。
【０００７】
そして、図７に示すように、回転操作型電子部品１の構成部品の仕上がり寸法や組立てのバラツキ、或いは取付孔１Ｂ，１Ｃと取付板２の突出ピン２Ｂ，２Ｃとの位置ズレ等により、実際には回転軸１Ａとドラム４やトルクゲージ６の間にある程度の中心ズレが生じるが、この場合には、コイルばね状の自在継手５が撓むことによってこの偏心が吸収され、チャック３が回転軸１Ａの中心を連結保持できるように構成されていた。
【０００８】
【発明が解決しようとする課題】
しかしながら上記従来の回転操作型電子部品の検査装置及び検査方法においては、回転操作型電子部品１の回転軸１Ａやチャック３の中心と、回転軸１Ａの回転荷重を検出するトルクゲージ６やドラム４の中心に、ある程度の偏心が生じた状態での検査となるため、実際には図８（ａ）に示すような波形の回転荷重であるものに対して、図８（ｂ）に示すように全体的にうねりの生じた波形となって検出され、検査回路が良否の判定をするための準備値の範囲を大きく設定する必要があり、誤差の大きな検査になってしまうという課題があった。
【０００９】
また、回転時に自在継手５によってトルクゲージ６やドラム４に対してチャック３に慣性が生じ、トルクゲージ６の回転を速くする程、この慣性によって回転荷重の波形のうねりが大きくなるため、回転をある程度遅くして検査を行う必要があり、検査に時間を要するという課題もあった。
【００１０】
本発明は、このような従来の課題を解決するものであり、確実に回転荷重を検出し、迅速で誤差の少ない回転操作型電子部品の検査装置及び検査方法を提供することを目的とする。
【００１１】
【課題を解決するための手段】
上記課題を解決するために本発明の回転操作型電子部品の検査装置及び検査方法は、回転操作型電子部品の回転軸を挿通させる貫通孔、および上記回転操作型電子部品の本体部分に対し上記回転軸と垂直な方向に間隙Ｇを空けて係止可能な部位を備えた取付板に、上記回転軸を上記貫通孔に挿通させて上記回転操作型電子部品を配し、続いて、上記貫通孔から突出した上記回転軸を、ドラムの中心部に回転自在に装着したチャックで連結保持する際、上記間隙Ｇの作用により上記取付板に対して上記回転操作型電子部品の本体部分が上記回転軸と垂直な方向に移動し、上記回転軸と上記チャックとの中心位置ズレを吸収した状態で上記回転軸が上記チャックに連結保持されて上記回転操作型電子部品がセットされ、その後、上記ドラムを回転させ、一端が上記ドラム外周に固定され、その中間部に歪ゲージが貼付された弾性を有するプレートの自由端で、上記チャック外周から突出したアームを押圧して上記チャックに連結保持された上記回転操作型電子部品の回転軸を回転操作し、この時の上記プレートの撓みによる上記歪ゲージの抵抗値変化によって上記回転軸の回転荷重を連続して検出し判定するものである。
【００１２】
これにより、確実に回転荷重を検出し、迅速で誤差の少ない回転操作型電子部品の検査装置及び検査方法を得ることができる。
【００１３】
【発明の実施の形態】
本発明の請求項１に記載の発明は、回転操作型電子部品の回転軸を挿通させる貫通孔、および上記回転操作型電子部品の本体部分に対し上記回転軸と垂直な方向に間隙Ｇを空けて係止可能な部位を備え、上記回転軸を上記貫通孔に挿通させて上記回転操作型電子部品が配される取付板と、上記貫通孔から突出する上記回転軸を連結保持するチャックと、中心部に上記チャックを回転自在に装着したドラムと、一端が上記ドラム外周に固定され、その中間部に撓みによって抵抗値が変化する歪ゲージが貼付された弾性を有するプレートと、上記チャック外周から突出し上記プレートの自由端に当接するアームと、上記歪ゲージに接続された検査回路からなり、上記貫通孔から突出した上記回転軸を上記チャックで連結保持する際、上記間隙Ｇの作用により上記取付板に対して上記回転操作型電子部品の本体部分が上記回転軸と垂直な方向に移動し、上記回転軸と上記チャックとの中心位置ズレを吸収した状態で上記回転軸が上記チャックに連結保持されて上記回転操作型電子部品がセットされ、その後上記ドラムを回転させ、上記プレートの自由端で、上記チャック外周から突出したアームを押圧して、上記チャックに連結保持された上記回転操作型電子部品の回転軸を回転操作し、この時の上記プレートの撓みによる上記歪ゲージの抵抗値変化を上記検査回路によって検出し判定を行う回転操作型電子部品の検査装置としたものである。以上のように、当該構成のものは、回転操作型電子部品が配される取付板に、回転軸と垂直な方向に間隙Ｇを空けて回転操作型電子部品の本体部分に係止可能な部位を設け、上記取付板に配された回転操作型電子部品の回転軸をチャックで連結保持する際に、この間隙Ｇの分だけ回転操作型電子部品が移動し、チャックと回転軸の中心が合った状態で上記回転軸が上記チャックに連結保持されて上記回転操作型電子部品がセットされるようにすると共に、上記回転軸を連結保持するチャックをドラムの中心部に回転自在に装着し、ドラムとチャックが歪ゲージが貼付されたプレートを介して一体に回転するように構成したため、各々の構成部品の中心が一致した状態で検査を行うことができ、回転速度を速くしてもうねりのない安定した波形が得られ、確実に回転荷重を検出できると共に、検査速度を速め迅速で誤差の少ない回転操作型電子部品の検査装置を得ることができるという作用を有する。
【００１４】
請求項２に記載の発明は、請求項１記載の発明において、チャック外周に二つの突出するアームを設け、この間にプレートの自由端を挟み込んだものであり、二つのアームで歪ゲージが貼付されたプレートを挟み込むことによって、回転操作型電子部品を左右両方向に回転操作し、両方向の回転荷重の検出を行えるため、より精度の高い検査ができるという作用を有する。
【００１５】
請求項３に記載の発明は、回転操作型電子部品の回転軸を挿通させる貫通孔、および上記回転操作型電子部品の本体部分に対し上記回転軸と垂直な方向に間隙Ｇを空けて係止可能な部位を備えた取付板に、上記回転軸を上記貫通孔に挿通させて上記回転操作型電子部品を配し、続いて、上記貫通孔から突出した上記回転軸を、ドラムの中心部に回転自在に装着したチャックで連結保持する際、上記間隙Ｇの作用により上記取付板に対して上記回転操作型電子部品の本体部分が上記回転軸と垂直な方向に移動し、上記回転軸と上記チャックとの中心位置ズレを吸収した状態で上記回転軸が上記チャックに連結保持されて上記回転操作型電子部品がセットされ、その後、上記ドラムを回転させ、一端が上記ドラム外周に固定され、その中間部に歪ゲージが貼付された弾性を有するプレートの自由端で、上記チャック外周から突出したアームを押圧して上記チャックに連結保持された上記回転操作型電子部品の回転軸を回転操作し、この時の上記プレートの撓みによる上記歪ゲージの抵抗値変化によって上記回転軸の回転荷重を連続して検出し判定する回転操作型電子部品の検査方法としたものであり、確実に回転荷重を検出し、迅速で誤差の少ない回転操作型電子部品の検査方法を得ることができるという作用を有する。
【００１６】
以下、本発明の実施の形態について、図１〜図４を用いて説明する。
なお、従来の技術の項で説明した構成と同一構成の部分には同一符号を付して、詳細な説明を省略する。
【００１７】
（実施の形態）
図１は本発明の一実施の形態による回転操作型電子部品の検査装置の概要を示す断面図、図２は同分解斜視図であり、同図において、１はスイッチや可変抵抗器、エンコーダ等の回転操作型電子部品、１２は取付板で、回転操作型電子部品１の回転軸１Ａが取付板１２中央の貫通孔１２Ａから下方に突出すると共に、その左右の取付孔１Ｂ，１Ｃに取付板１２上面の突出ピン１２Ｂ，１２Ｃが挿入されて、回転操作型電子部品１が取付板１２に装着されていることは従来の技術の場合と同様であるが、突出ピン１２Ｂ，１２Ｃは、回転操作型電子部品１の取付孔１Ｂ，１Ｃよりもやや小さな外径の根元部から傾斜し、上端の先端部はさらに小さな外径となって、取付孔１Ｂ，１Ｃとの間に回転軸１Ａと垂直な方向の間隙Ｇが空けられている。
【００１８】
そして、１３は上端に回転操作型電子部品１の回転軸１Ａを連結保持したチャック、１４はベアリング等を介して中心部内周にチャック１３を回転自在に収納装着したドラム、１５は中間部に撓みによって抵抗値が変化する歪ゲージ１６が貼付された金属薄板等の弾性を有するプレートで、プレート１５の下端はドラム１４外周に固定され、自由端となった上端がチャック１３外周から突出したアーム１７に当接すると共に、歪ゲージ１６は、リード線等によって検査装置の検査回路（図示せず）に電気的に接続されている。
【００１９】
以上の構成において、ドラム１４をモータ等の外部からの力によって回転すると、下端がドラム１４外周に固定されたプレート１５の自由端が、チャック１３外周から突出したアーム１７を押圧するため、チャック１３が回転して回転操作型電子部品１の回転軸１Ａを回転させると共に、アーム１７を押圧したプレート１５が回転操作型電子部品１の回転荷重によって撓むため、プレート１５に貼付された歪ゲージ１６も撓んで、この変化した抵抗値が検査回路に連続して送信され、この信号から検査回路が回転操作型電子部品１の回転荷重を検出し、あらかじめ設定された基準値と比較して、回転荷重が基準値内に収まっているかどうかの良否の判定を行う。
【００２０】
ここで、回転操作型電子部品１の構成部品の仕上がり寸法や組立てのバラツキ等によって回転軸１Ａに中心ズレが生じた場合の、取付板１２への装着方法について説明すると、まず図３（ａ）に示すように、回転操作型電子部品１を上方から軽く押して取付板１２に載置した状態では、取付板１２上面の突出ピン１２Ｂ，１２Ｃの根元部が取付孔１Ｂ，１Ｃに挿入されているため、回転軸１Ａの中心は取付板１２やチャック１３の中心に対し偏心している。
【００２１】
この後、下方からチャック１３が上昇して回転軸１Ａの下端に当接すると、図３（ｂ）に示すように、回転軸１Ａを押圧された回転操作型電子部品１が上方に移動し取付板１２上面との間に空隙Ｓが生じると共に、回転軸１Ａ下端はチャック１３の保持孔１３Ａ内周の傾斜面を、取付孔１Ｂ，１Ｃの内周は突出ピン１２Ｂ，１２Ｃの傾斜面を各々摺動して、回転操作型電子部品１が突出ピン１２Ｂ，１２Ｃと取付孔１Ｂ，１Ｃとの間隙Ｇの分だけ左方向へ移動するため、各々の中心が合った状態でチャック１３による回転軸１Ａの連結保持が行われる。
【００２２】
このように本実施の形態によれば、回転軸１Ａと垂直な方向に間隙Ｇを空けて回転操作型電子部品１が取付板１２に装着されているため、チャック１３が回転軸１Ａを連結保持する際、この間隙Ｇの分だけ回転操作型電子部品１が移動しチャック１３と回転軸１Ａの中心が合った状態で保持することができると共に、回転軸１Ａを連結保持するチャック１３をドラム１４の中心部に回転自在に収納装着し、ドラム１４とチャック１３が歪ゲージ１６が貼付されたプレート１５を介して一体に回転するように構成され、各々の構成部品の中心が一致した状態で検査を行うことができるため、測定誤差によるうねりのない、図８（ａ）に示したような、実際の回転操作型電子部品１の回転荷重に合った安定した波形が得られ、検査回路に設定する基準値の範囲を小さくして高精度に回転荷重を検出できると共に、検査速度を速め迅速で誤差の少ない回転操作型電子部品の検査装置及び検査方法を得ることができるものである。
【００２３】
また、図４に示すように、チャック１３外周に二つの突出するアーム１７Ａ，１７Ｂを設け、この間に歪ゲージ１６が貼付されたプレート１５の自由端である上端を挟み込むことによって、回転操作型電子部品１を左右両方向に回転操作し、両方向の回転荷重の検出を行えるため、より精度の高い検査をすることができる。
【００２４】
なお、以上の説明では、回転操作型電子部品１に設けられた取付孔１Ｂ，１Ｃに取付板１２の突出ピン１２Ｂ，１２Ｃを、回転軸１Ａと垂直な方向に間隙Ｇを空けて挿入して、回転操作型電子部品１を取付板１２に装着する構成について説明したが、これが取付孔１Ｂ，１Ｃではなく取付用の突出部が設けられた回転操作型電子部品の場合には、取付板側に孔を設け、これに回転操作型電子部品の突出部を回転軸と垂直な方向に間隙を空けて挿入して装着したり、或いは、こうした取付用の孔や突出部が設けられていない回転操作型電子部品の場合には、回転操作型電子部品の外周を取付板に装着する構成としても、本発明の実施が可能なことは勿論である。
【００２５】
【発明の効果】
以上のように本発明によれば、回転操作型電子部品の回転軸と検査装置との回転中心を一致させた状態で回転操作型電子部品を配して検査を行うことができるため、確実に回転荷重を検出し、迅速で誤差の少ない回転操作型電子部品の検査装置及び検査方法を得ることができるという有利な効果が得られる。
【図面の簡単な説明】
【図１】本発明の一実施の形態による回転操作型電子部品の検査装置の断面図
【図２】同分解斜視図
【図３】同断面図
【図４】同部分斜視図
【図５】従来の回転操作型電子部品の検査装置の断面図
【図６】同分解斜視図
【図７】同断面図
【図８】同特性図
【符号の説明】
１  回転操作型電子部品
１Ａ  回転軸
１Ｂ，１Ｃ  取付孔
１２  取付板
１２Ａ  貫通孔
１２Ｂ，１２Ｃ  突出ピン
１３  チャック
１３Ａ  保持孔
１４  ドラム
１５  プレート
１６  歪ゲージ
１７，１７Ａ，１７Ｂ  アーム
【図１】
0003800804.tif 000002
【図２】
0003800804.tif 000003
【図３】
0003800804.tif 000004
【図４】
0003800804.tif 000005
【図５】
0003800804.tif 000006
【図６】
0003800804.tif 000007
【図７】
0003800804.tif 000008
【図８】
0003800804.tif 000009